(57)【要約】【課題】プラント等の設備における機器の詳細仕様及び機器を構成する複数の構成品の詳細仕様の整理を迅速かつ効率的に行うことができるとともに、人為的なミスを極限まで減らした設備保全管理システムを提供する。【解決手段】文字データ等の入力が可能なパソコンＰが、機器の詳細仕様の項目を機器の形式に関連付けて格納するとともに機器を構成する構成品の詳細仕様の項目を構成品の形式に関連付けて格納する機器データベース３及び構成品データベース４に接続されており、入力された機器の形式または構成品の形式を基に当該機器または構成品の詳細仕様の項目を機器データベース３及び構成品データベース４より抽出して、当該抽出された詳細仕様の項目を編集可能とした。【選択図】図１
2014106820.tif 000002
【特許請求の範囲】
【請求項１】
プラント等の設備における機器の詳細仕様及び機器を構成する複数の構成品の詳細仕様を管理する設備保全管理システムであって、
前記機器の詳細仕様の項目を前記機器の形式に関連付けて格納するとともに、前記機器を構成する構成品の詳細仕様の項目を前記構成品の形式に関連付けて格納するデータベースと、該データベースと接続される、文字データ等の入力が可能な端末と、を備え、
前記端末は、入力された前記機器の形式または前記構成品の形式を基に前記データベースより当該機器または前記構成品の詳細仕様の項目を抽出して、当該抽出された詳細仕様の項目を記録可能としたことを特徴とする設備保全管理システム。
【請求項２】
前記端末は、前記機器または前記構成品の詳細仕様の項目を、前記機器または前記構成品の形式とともに前記機器に関連付けて機器構成テーブルに記録するとともに、機器構成テーブルの内容を前記データベースに対し送信することを特徴とする請求項１に記載の設備保全管理システム。
【請求項３】
１つのデータベースに、複数台の前記端末が接続されるようになっていることを特徴とする請求項１または２に記載の設備保全管理システム。
【発明の詳細な説明】
【技術分野】
【０００１】
本発明は、プラント等の設備における機器の詳細仕様及び機器を構成する複数の構成品の詳細仕様を管理する設備保全管理システムに関する。
【背景技術】
【０００２】
従来、プラント等の設備は、設備で利用する様々な機器の設計や詳細仕様等を基に設備管理維持台帳が作成されており、設備管理者はこの設備保全管理台帳を用いて設備の保全管理業務を実施している。しかしながら、大規模な設備においては、膨大な数の構成品の点数及びその設計や詳細仕様等を台帳に記入しなければならず、従来の紙面の台帳を用いた方式では、整理と検索にかなりの場所と時間を要する。
【０００３】
そのため、例えば、設備保全管理用の図面に描かれている設備の構成部署あるいは設備毎に対応した図面ＩＣタグを当該図面に設置して、その図面ＩＣタグが設置されている構成部署に関連のある文書類ならびにその文書類を電子データとして格納した電子媒体に、当該図面ＩＣタグを関連付けて管理する機器構成品管理システムが知られている（例えば、特許文献１参照）。
【先行技術文献】
【特許文献】
【０００４】
【特許文献１】特開２００７−４７７８号公報（第８頁、第４図）
【発明の概要】
【発明が解決しようとする課題】
【０００５】
しかしながら、特許文献１に記載された機器構成品管理システムにあっては、設備の保全管理に紙の図面を利用することから完全にペーパーレスとしたシステムではないため、当該図面の紛失や前記図面ＩＣタグの設置位置の誤差などの人為的なミスを防止するには不十分であった。
【０００６】
本発明は、このような問題点に着目してなされたもので、プラント等の設備における機器の詳細仕様及び機器を構成する複数の構成品の詳細仕様の整理を迅速かつ効率的に行うことができるとともに、人為的なミスを極限まで減らした設備保全管理システムを提供することを目的とする。
【課題を解決するための手段】
【０００７】
前記課題を解決するために、本発明の設備保全管理システムは、
プラント等の設備における機器の詳細仕様及び機器を構成する複数の構成品の詳細仕様を管理する設備保全管理システムであって、
前記機器の詳細仕様の項目を前記機器の形式に関連付けて格納するとともに、前記機器を構成する構成品の詳細仕様の項目を前記構成品の形式に関連付けて格納するデータベースと、該データベースと接続される、文字データ等の入力が可能な端末と、を備え、
前記端末は、入力された前記機器の形式または前記構成品の形式を基に前記データベースより当該機器または前記構成品の詳細仕様の項目を抽出して、当該抽出された詳細仕様の項目を記録可能としたことを特徴としている。
この特徴によれば、文字データ等の入力が可能な端末が、機器の詳細仕様の項目を機器の形式に関連付けて格納するとともに機器を構成する構成品の詳細仕様の項目を構成品の形式に関連付けて格納するデータベースに接続されており、入力された機器の形式または構成品の形式を基に当該機器または構成品の詳細仕様の項目をデータベースより抽出して、当該抽出された詳細仕様の項目を編集できるようになっているため、機器及び構成品の形式により異なる記録すべき詳細仕様が当該機器及び構成品の形式を入力するのみで正確に抽出されるため、前記プラント等の設備の管理者は、プラント等の設備における機器の詳細仕様及び機器を構成する構成品における詳細仕様を正確かつ迅速に記録することができる。
【０００８】
前記端末は、前記機器または前記構成品の詳細仕様の項目を、前記機器または前記構成品の形式とともに前記機器に関連付けて機器構成テーブルに記録するとともに、機器構成テーブルの内容を前記データベースに対し送信することを特徴としている。
この特徴によれば、機器または構成品の詳細仕様の項目を、機器または構成品の形式とともに機器に関連付けて機器構成テーブルに記録するとともに、この機器構成テーブルの内容をデータベースに対し送信するようになっているため、１つの機器において、その構成品を含む詳細仕様の全てをまとめて記録することができるため、機器構成の管理を正確に行うことができる。
【０００９】
１つのデータベースに、複数台の前記端末が接続されるようになっていることを特徴としている。
この特徴によれば、１つのデータベースに、機器の詳細仕様の項目，機器を構成する構成品の詳細仕様の項目及び前記機器構成テーブル等の記録データを統括することで、各管理者間における記録データの不一致を防止することができる。
【図面の簡単な説明】
【００１０】
【図１】実施例における設備保全管理システムを示すブロック図である。
【図２】表示部への表示内容を示す図であり、（ａ）は後述する基本仕様画面を示す図であり、（ｂ）は同じく後述する機器の詳細仕様記録における基本画面を示す図である。
【図３】表示部に表示される後述する機器の詳細仕様記録画面を示す図である。
【図４】表示部に表示される後述する詳細仕様テンプレート画面を示す図である。
【図５】表示部への表示内容を示す図であり、（ａ）は後述する構成品の名称登録画面を示す図であり、（ｂ）は同じく後述する機器の詳細仕様記録における基本画面を示す図である。
【図６】表示部に表示される後述する構成品の詳細仕様記録画面を示す図である。
【図７】後述する機器構成記録処理を示すフローチャートである。
【図８】後述する構成品追加記録処理を示すフローチャートである。
【図９】機器構成テーブルを示す概略図である。
【発明を実施するための形態】
【００１１】
本発明に係る設備保全管理システムを実施するための形態を実施例に基づいて以下に説明する。
【実施例】
【００１２】
実施例に係る設備保全管理システムにつき、図１から図９を参照して説明する。図１の符号１は、本発明の適用された下水道設備における機器を構成するその詳細仕様及び複数の構成品の詳細仕様などを管理する設備保全管理システム（以下、「管理システム」という。）である。
【００１３】
尚、ここで言う機器とは、複数の構成品が組み合って、１つの機能を発揮できる装置であり、また、管理システムは機器の保全管理結果を蓄積し分析していくためのものであり、機器の基本性能・機能・詳細仕様だけでなく、構成品ごとに詳細仕様を整理する場合にも用いられる。
【００１４】
図１に示されるように、管理システム１は、主に中央管理サーバーＳと、複数のパソコンＰ，Ｐ，…と、により構成されている。パソコンＰ（端末）にはアプリケーションソフトウェア（以下、アプリケーションという。）がインストールされており、中央管理サーバーＳとの間でデータのやり取りを行う他、後述する機器の詳細仕様の記録などに用いる入力手段としてのキーボード６と、表示部としてディスプレイ７を、それぞれ有している。尚、パソコンＰは、少なくとも１台あればよく、更にアプリケーションをインストールした端末は、パソコンに限らずスマートフォンやタブレットＰＣなどであってもよい。
【００１５】
中央サーバーＳは、内部に設備構成データベース２と、機器データベース３及び構成品データベース４とを備えている。機器データベース３には下水道設備で利用される種々の機器の機器形式が全種類記録されており、更にそれぞれの機器における記録すべき記入詳細仕様項目が機器の形式にそれぞれ関連付けて格納されている。
【００１６】
更に構成品データベース４には、機器を構成する構成品が種々の形式に分かれて構成品形式として全種類記録されているとともに、それぞれの構成品における記録すべき記入詳細仕様項目が構成品の形式にそれぞれ関連付けられて構成品記入詳細仕様項目として格納されている。更に、後述するが、この構成品の形式には固有の詳細仕様コード１０４が付されている。尚、これら機器データベース３及び構成品データベース４には、接続された全てのパソコンＰからアクセス可能となっている。
【００１７】
そして、設備構成データベース２には、管理を行う設備の機器構成が記録されており、管理システム１は、この後説明する機器構成記録処理及び構成品追加記録処理により各パソコンＰ，Ｐ，…で機器構成テーブル５（図９参照）をそれぞれ作成し、こうして作成された機器構成テーブル５を前記設備構成データベース２に記録更新して、各パソコンＰ，Ｐ，…から閲覧、編集及び管理を行えるようにしたシステムである。
【００１８】
続いて、下水道設備の機器構成を記録する際における実際の管理システム１の使用方法を説明する。先ず図１，図２及び図７のフローチャートを用いて機器自体（ここではポンプ自体）の詳細仕様を記録する機器構成記録処理から説明する。
【００１９】
特に図示しないが、まず下水道設備の管理者は、パソコンＰのアプリケーションを立ち上げ、新規の機器台帳を作成するボタンを選択する。管理システム１は、図７に示すように、ステップＳａ０１にて新規作成ボタンの選択が行われたか否かを確認し、選択が行われた場合、キーボード６を用いて記入可能な各入力項目を有する機器構成台帳の基本仕様画面８（図２（ａ）参照）をディスプレイ７に表示する（ステップＳａ０２）。尚、管理システム１は、ステップＳａ０１における新規作成ボタンの選択が行われるまでステップＳａ０１にループして待機状態となる。
【００２０】
管理者は、前記各入力フォーム８ａに記録管理する機器の名称１００、当該機器を識別する固有のＩD１０１及び形式１０２を入力し、最後に保存ボタン８ｂを選択する。尚、機器を識別するＩD１０１は、管理者が入力する態様に限らず、使用していない識別ＩＤが自動的に振られるようにしてもよい。
【００２１】
管理システム１は、ステップＳａ０３にて保存ボタン８ｂの選択が行われたか否かを確認し、選択が行われた場合、管理システム１は入力された機器の名称１００、機器を識別する固有のＩD１０１及び形式１０２をそれぞれ関連付けて機器構成テーブル５（図９参照）に記録する（ステップＳａ０４）。尚、管理システム１は、ステップＳａ０３における保存ボタン８ｂの選択が行われるまでステップＳａ０３にループして待機状態となる。
【００２２】
続いて、管理者は表示画面の詳細仕様ボタン８ｃを選択する。管理システム１は、ステップＳａ０５にて詳細仕様ボタン８ｃの選択が行われたか否かを確認し、選択が行われた場合、詳細仕様記録における基本画面９（図２（ｂ）参照）をディスプレイ７に表示する（ステップＳａ０６）。詳細仕様記録における基本画面９には、その時点で記録されている機器及び構成品がリストアップされるようになっており、ここでは基本となる機器の形式１０２である「立軸斜流ポンプ」が表示されている。尚、管理システム１は、ステップＳａ０５における詳細仕様ボタン８ｃの選択が行われるまでステップＳａ０５にループして待機状態となる。
【００２３】
次に管理者は表示画面におけるリストアップされた機器の形式１０２（ここでは「立軸斜流ポンプ」）を選択する。管理システム１は、ステップＳａ０７にて機器形式１０２の選択が行われたか否かを確認し、選択が行われた場合、ディスプレイ７に詳細仕様記録における基本画面９に変えて詳細仕様記録画面１０（図３参照）を表示する（ステップＳａ０８）。尚、管理システム１は、ステップＳａ０７における機器形式１０２の選択が行われるまでステップＳａ０７にループして待機状態となる。
【００２４】
さらに、管理システム１はステップＳａ０８を行うと同時に、前記基本仕様画面８（図２（ａ）参照）にて入力された機器の形式に基づいて機器データベース３を検索し、該当する形式が格納されているか否かを確認（ステップＳａ０９）し、確認できた場合その形式の機器における記入詳細仕様項目３ａを抽出して詳細仕様記録画面１０に表示する（ステップＳａ１０）。尚、ステップＳａ０９において、前記入力された機器の形式が確認できなかった場合、ここでは特に図示しないが、管理システム１は表示画面にエラー表示をして管理者に対し基本仕様画面８（図２（ａ）参照）に戻り入力内容の修正を促すようになっている（ステップＳａ１１）。
【００２５】
管理者は、予めリストアップされた記入詳細仕様項目３ａにそれぞれの値等を入力し、最後に保存ボタン１０ａを選択して機器の詳細仕様１０３の記録を完了する。管理システム１は、ステップＳａ１２にて保存ボタン１０ａの選択が行われたか否かを確認し、選択が行われた場合、入力された機器の詳細仕様１０３を前記機器構成テーブル５（図９参照）に記録する（ステップＳａ１３）とともに、ディスプレイ７の表示を詳細仕様記録画面１０（図３参照）から詳細仕様記録における基本画面９（図２（ｂ）参照）に戻す（ステップＳａ１４）。尚、管理システム１は、ステップＳａ１２における保存ボタン１０ａの選択が行われるまでステップＳａ１２にループして待機状態となる。
【００２６】
続いて、さらに詳細な機器の構成品を記録する必要が有る場合、管理者は詳細仕様記録における基本画面（図２（ｂ）参照）の上部に表示された追加ボタン９ａの選択を行う。管理システム１は、ステップＳａ１５にて追加ボタン９ａの選択が行われたか否かを確認し、選択が行われた場合、構成品追加記録処理（図８参照）に移る（ステップＳａ１６）とともに、ディスプレイ７に詳細仕様記録における基本画面９に変えて詳細仕様テンプレート画面１１（図４参照）を表示（ステップＳｂ０１）する。
【００２７】
尚、管理システム１は、ステップＳａ１５における追加ボタン９ａの選択が行われない場合、後述するステップＳａ１７に移る。Ｓａ１７では管理者により基本仕様ボタン９ｃが選択されたか否かを確認し、選択されなかった場合ステップＳａ１５にループするように設定されている。
【００２８】
次に構成品追加記録処理を図４〜６及び図８のフローチャートを用いて説明すると、先ず管理システム１は、前述したようにステップＳｂ０１にてディスプレイ７に詳細仕様記録における基本画面９に変えて詳細仕様テンプレート画面１１（図４参照）を表示する。
【００２９】
管理者は、詳細仕様テンプレート画面１１の上部にあるキーワード検索フォーム１１ａにて大まかな構成品の型式１０６を入力し、かつ必要に応じて管理区分リスト１１ｅから管理区分を指定して（ここでは「機械」を選択）検索を行う。
【００３０】
この検索の実行は、キーボード６のEnterキーや、ディスプレイ７に検索ボタンを表示させてマウスなどにより選択するのが望ましい。尚、キーワード検索フォーム１１ａは、条件追加ボタン１１ｂの選択により、検索キーワードを追加したり、除外したいキーワードを追加して検索結果を絞り込むことが可能であるばかりか、形式別の詳細仕様コード１０４を事前に把握しておけば、この詳細仕様コードによる検索も可能である。更に、カナ検索リスト１１ｄを利用して５０音順の行を指定して検索結果を絞り込むことも可能である。
【００３１】
管理システム１は、ステップＳｂ０２にてキーワード検索が実行されたか否かを確認し、検索が実行された場合、入力された構成品の名称を基にデータベースを検索し、該当する構成品の名称が格納されているか否かを確認（ステップＳｂ０３）し、確認できた場合その名称の構成品における様々な形式を抽出し、詳細仕様コード１０４とともに抽出された構成品のリスト１１ｃを詳細仕様テンプレート画面１１に表示する（ステップＳｂ０４）。
【００３２】
また、ステップＳｂ０３において、前記入力された構成品の名称が確認できなかった場合、ここでは特に図示しないが、管理システム１はＳｂ０５にて詳細仕様テンプレート画面１１に「該当する検索結果がありません」等のエラーメッセージを表示した状態で、ステップＳｂ０２にループするようになっている。尚、管理者によって再度キーワード検索が実行されたと同時に、このエラーメッセージは非表示となるのが望ましい。
【００３３】
次に管理者は、ステップＳｂ０４で詳細仕様テンプレート画面１１に表示された構成品のリスト１１ｃより任意の形式１０６である構成品を選び、その形式に関連付けられた詳細仕様コード１０４を選択する。管理システム１は、ステップＳｂ０６にて詳細仕様コード１０４の選択が行われたか否かを確認し、選択が行われた場合、詳細仕様テンプレート画面１１に変えて構成品の名称を登録する名称登録画面１２（図５（ａ）参照）を表示（ステップＳｂ０７）する。尚、管理システム１は、ステップＳｂ０６における詳細仕様コード１０４の選択が行われるまでステップＳｂ０６にループして待機状態となる。
【００３４】
そして図５（ａ）に示されるように、管理者は入力フォーム１２ａに任意の名称１０５を入力後、登録ボタン１２ｂを選択する。管理システム１は、ステップＳｂ０８にて名称登録画面１２における登録ボタン１２ｂの選択が行われたか否かを確認し、選択が行われた場合、構成品の名称１０５をその形式１０６とともに前記機器構成テーブル５（図９参照）に関連付けて記録する（ステップＳｂ０９）。さらに、ステップＳｂ０９と同じくして名称登録画面１２に変えて詳細仕様記録における基本画面９（図５（ｂ）参照）を表示する（ステップＳｂ１０）。尚、このとき基本画面９には、機器形式１０２である「立軸斜流ポンプ」と、構成品の名称１０５である「シーリング水弁」とがリストアップされている。更に尚、管理システム１は、ステップＳｂ０８における登録ボタン１２ｂの選択が行われるまでステップＳｂ０８にループして待機状態となる。
【００３５】
次に管理者は、詳細仕様記録にて構成品の名称１０５を選択する。管理システム１は、ステップＳｂ１１にて構成品の名称１０５の選択が行われたか否かを確認し、選択が行われた場合、詳細仕様記録における基本画面９に変えて詳細仕様記録画面１３（図６参照）を表示する（ステップＳｂ１２）。尚、管理システム１は、ステップＳｂ１１における構成品の名称１０５の選択が行われるまでステップＳｂ１１にループして待機状態となる。
【００３６】
また、管理システム１は、ステップＳｂ１１にて構成品の名称１０５の選択が行われた場合、ステップＳｂ１２を行うと同時に、前記詳細仕様テンプレート画面１１にて選択された詳細仕様コード１０４に基づいて構成品データベース４を検索し、該当する詳細仕様コード１０４の形式の構成品における記入仕様項目４ａを抽出して詳細仕様記録画面１３に表示する（ステップＳｂ１３）。
【００３７】
管理者は、予めリストアップされた記入詳細仕様項目４ａにそれぞれの値等を入力し、最後に詳細仕様記録画面１３における保存ボタン１３ａを選択して構成品の詳細仕様１０７の記録を完了する。管理システム１は、ステップＳｂ１４にて保存ボタン１３ａの選択が行われたか否かを確認し、選択が行われた場合、入力された構成品の詳細仕様１０７を前記機器構成テーブル５（図９参照）に関連付けて記録する（ステップＳｂ１５）。
【００３８】
そして、ステップＳｂ１５とともに、ディスプレイ７の表示を詳細仕様記録画面１３（図６参照）から詳細仕様記録における基本画面９（図５（ｂ）参照）に戻し（ステップＳｂ１６）、更にこの基本画面９へ戻る動作をもって構成品追加記録処理が終了し、前記機器構成記録処理（図７参照）のステップＳａ１７に戻る。尚、管理システム１は、ステップＳｂ１３における保存ボタン１３ａの選択が行われるまでステップＳｂ１４にループして待機状態となる。
【００３９】
尚、管理システム１は、機器構成記録処理（図７参照）におけるステップＳａ１７にて管理者により詳細仕様記録の基本画面９における戻るボタン９ｂが選択されたか否かを確認し、選択されなかった場合ステップＳａ１５にループするように設定されている。そのため、更に機器の構成品を追加記録する必要があれば、上述したようにステップＳａ１５にて何度でも構成品追加記録処理へ移り、機器の構成品を追加記録する。
【００４０】
そして、機器の構成品を記録が完全に完了し、これ以上構成品の記録を行う必要が無くなった場合、詳細仕様記録における基本画面９（図５（ｂ）参照）の上部に表示された戻るボタン９ｂの選択を行う。管理システム１は、ステップＳａ１７にて戻るボタン９ｂの選択が行われたか否かを確認し、選択が行われた場合、ディスプレイ７の表示を詳細仕様記録における基本画面９に変えて基本仕様画面８（図２（ａ）参照）を表示する（ステップＳａ１８）。
【００４１】
最後に管理者は、基本仕様画面８における戻るボタン８ｄを選択して、機器構成品における全ての内容の記録を完了する。管理システム１は、ステップＳａ１９にて戻るボタン８ｄの選択が行われたか否かを確認し、選択が行われた場合、基本仕様画面８に変えて前記アプリケーションの初期画面（図示せず）を表示する（ステップＳａ２０）。尚、ステップＳａ１８により基本仕様画面８に戻っていても、基本仕様画面８の保存ボタン８ｄが選択されるまでステップＳａ１９に戻り、待機状態にあるため、記録すべき構成品を追加可能な状態となっている。
【００４２】
そして、各パソコンＰ，Ｐ，…は、こうして完成した機器構成テーブル５（図９参照）をそれぞれ中央管理サーバーＳに送信し、中央管理サーバーＳは、受信した機器構成テーブル５を設備構成データベース２に記録更新する。
【００４３】
管理システム１は、設計が行われた後にその設計データを基に用いられるのが通例であるが、設計段階から併用して、出来上がった機器構成テーブル５を設計書類の一部として利用することができ、設計作業における手間を減らすことができる。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前記実施例では、個々の端末にアプリケーションをインストールして機器構成品の管理を行なっているが、共有のサーバーなどに実装され、ブラウザ上で動作するいわゆるクラウドアプリケーションを利用することで、アプリケーションを各端末にインストールせずともよく、設備コストを削減可能である。
【符号の説明】
【００４６】
１                設備保全管理システム
２                設備構成データベース
３                機器データベース
３ａ              機器における記入詳細仕様項目
４                構成品データベース
４ａ              記入詳細仕様項目
５                機器構成テーブル
６                キーボード
７                ディスプレイ
８                基本仕様画面
８ａ              入力フォーム
８ｂ              基本仕様画面の保存ボタン
８ｃ              詳細仕様ボタン
８ｄ              基本仕様画面の戻るボタン
９                詳細仕様記録における基本画面
９ａ              追加ボタン
９ｂ              戻るボタン
９ｃ              基本仕様ボタン
１０              詳細仕様記録画面
１０ａ            詳細仕様記録画面の保存ボタン
１１              詳細仕様テンプレート画面
１１ａ            検索フォーム
１１ｂ            条件追加ボタン
１１ｃ            構成品のリスト
１１ｄ            カナ検索リスト
１１ｅ            管理区分リスト
１２              名称登録画面
１２ａ            入力フォーム
１２ｂ            登録ボタン
１３              詳細仕様記録画面
１３ａ            詳細仕様記録画面の保存ボタン
１００            機器の名称
１０１            機器のＩD
１０２            機器の形式
１０３            機器の詳細仕様
１０４            詳細仕様コード
１０５            構成品の名称
１０６            構成品の形式
１０７            構成品の詳細仕様
Ｐ                パソコン
Ｓ                中央管理サーバー
【図１】
2014106820.tif 000003
【図２】
2014106820.tif 000004
【図３】
2014106820.tif 000005
【図４】
2014106820.tif 000006
【図５】
2014106820.tif 000007
【図６】
2014106820.tif 000008
【図７】
2014106820.tif 000009
【図８】
2014106820.tif 000010
【図９】
2014106820.tif 000011